(57)【特許請求の範囲】
【請求項１】
セルラセルを管理する基地局と、該セルラシステムよりカバーするエリアが狭く、送信電力が小さいホットスポットセルを管理する基地局とを含む複数の基地局により送信された信号の受信電力を測定する受信電力測定手段と、
該受信電力測定手段により測定された受信電力に基づいて、該受信電力が最大の第１の基地局を選択する基地局選択手段と、
該基地局選択手段により選択された第１の基地局により管理されるセルの環境を検出する環境検出手段と、
該環境検出手段により検出されたセルの環境に基づいて、移動局が属するセルを選択するセル選択手段と
を備え、
前記環境検出手段により検出されたセルの環境がホットスポットセルである場合、前記セル選択手段は、前記移動局が属するセルとして、該ホットスポットセルを選択し、
前記環境検出手段により検出されたセルの環境がセルラセルである場合、前記基地局選択手段は、該セルラセルを管理する第１の基地局以外の基地局から受信電力が最大の第２の基地局を選択し、該第２の基地局の受信電力が所定値未満である場合に、前記セル選択手段は、前記第１の基地局により管理されるセルラセルを前記移動局が属するセルとして選択する移動局。
【請求項２】
請求項１に記載の移動局において、
前記環境検出手段は、前記基地局選択手段により選択された基地局からの報知チャネルによりセルの環境を検出する移動局。
【請求項３】
請求項１に記載の移動局において、
前記環境検出手段は、基地局により管理されるセルの環境と、該基地局が信号の送信に使用すべきスクランブリングコードとの対応に基づいて、前記基地局選択手段により選択された基地局からの信号を受信した際に、該信号の送信に使用されたスクランブリングコードを特定することにより、セルの環境を検出する移動局。
【請求項４】
請求項１に記載の移動局において、
前記環境検出手段は、基地局によりが管理されるセルの環境と、該基地局が信号の送信に使用すべきスクランブリングコードとの対応に基づいて、前記基地局選択手段により選択された基地局からの信号を受信した際に、該基地局が管理するセルの環境を検出することにより、該基地局が前記信号の送信に使用するスクランブリングコードの候補を限定する移動局。
【請求項５】
請求項３又は４に記載の移動局において、
前記環境検出手段は、
受信信号のスロット境界を検出するスロット境界検出手段と、
該スロット境界検出手段により検出されたスロット境界に基づいて、前記受信信号のフレーム境界を検出するフレーム境界検出手段と、
該フレーム境界検出手段により検出されたフレーム境界に基づいて送信タイミングを求め、該送信タイミングに基づいて、スクランブリングコード群を検出するスクランブリングコード群検出手段と、
該スクランブリングコード群検出手段により検出されたスクランブリングコード群の中から最適なスクランブリングコードを特定するスクランブリングコード特定手段と
を備え、
前記スクランブリングコード特定手段により特定されたスクランブリングコードに基づいて、セルの環境を検出する移動局。
【請求項６】
請求項１乃至５の何れか１項に記載の移動局において、
前記セル選択手段は、伝搬損失が小さい基地局により管理されるセルを前記移動局が属するセルとして優先的に選択する移動局。
【請求項７】
基地局により管理されるセルの環境を表す情報を、該セル内へ通知する環境通知手段
を備え、
前記セルに在圏する移動局は、
セルラセルを管理する基地局と、該セルラシステムよりカバーするエリアが狭く、送信電力が小さいホットスポットセルを管理する基地局とを含む複数の基地局により送信された信号の受信電力を測定し、該受信電力が最大の第１の基地局を選択し、該第１の基地局により管理されるセルの環境を検出し、該セルの環境がホットスポットセルである場合に、前記移動局が属するセルとして、該ホットスポットセルを選択し、該セルの環境がセルラセルである場合に、該セルラセルを管理する第１の基地局以外の基地局から受信電力が最大の第２の基地局を選択し、該第２の基地局の受信電力が所定値未満である場合に、前記第１の基地局により管理されるセルラセルを前記移動局が属するセルとして選択する通信制御装置。
【請求項８】
請求項７に記載の通信制御装置において、
前記環境通知手段は、報知チャネルに前記基地局により管理されるセルの環境を含め、前記基地局が管理するセル内へ送信する通信制御装置。
【請求項９】
請求項７に記載の通信制御装置において、
前記環境通知手段は、基地局により管理されるセルの環境と、該基地局が信号の送信に使用すべきスクランブリングコードとの対応に従って、前記基地局が管理するセルの環境に対応するスクランブリングコードを使用して信号を送信する通信制御装置。
【請求項１０】
通信制御装置と、移動局と、該移動局の通信相手となり得る複数の基地局とを有する移動通信システムにおける通信制御方法において、
前記通信制御装置は、
前記基地局により管理されるセル内へ、前記基地局により管理されるセルの環境を表す情報を通知するステップ、
を有し、
前記移動局は、
セルラセルを管理する基地局と、該セルラシステムよりカバーするエリアが狭く、送信電力が小さいホットスポットセルを管理する基地局とを含む複数の基地局により送信された信号の受信電力を測定する受信電力測定ステップと、
該受信電力測定ステップにより測定された受信電力に基づいて、該受信電力が最大の第１の基地局を選択する基地局選択ステップと、
該基地局選択ステップにより選択された第１の基地局により管理されるセルの環境を検出する環境検出ステップと、
該環境検出ステップにより検出されたセルの環境に基づいて、前記移動局が属するセルを選択するセル選択ステップと
を有し、
前記環境検出ステップにより検出されたセルの環境がホットスポットセルである場合、前記セル選択ステップでは、前記移動局が属するセルとして、該ホットスポットセルを選択し、
前記環境検出ステップにより検出されたセルの環境がセルラセルである場合、前記基地局選択ステップでは、該セルラセルを管理する第１の基地局以外の基地局から受信電力が最大の第２の基地局を選択し、該第２の基地局の受信電力が所定値未満である場合に、前記セル選択ステップでは、前記第１の基地局により管理されるセルラセルを前記移動局が属するセルとして選択することを特徴とする通信制御方法。
【発明の詳細な説明】
【技術分野】
【０００１】
本発明は、移動局と、当該移動局の通信相手となり得る複数の基地局とを有する移動通信システムにおける通信制御に関する。
【背景技術】
【０００２】
近年、無線通信用の周波数帯域の利用効率を向上させるために、広帯域符号分割多元接続（Ｗ−ＣＤＭＡ：Wideband Code Division Multiple Access）方式に代表される移動通信方式では、セルラ移動通信システムを構成する複数の基地局のそれぞれが管理する各セルに同一の周波数帯域が使用される。しかし、このような移動通信方式を利用したセルラ移動通信システムでは、複数のセルに同一の周波数帯域が使用されるため、移動局は、周波数帯域を参照することにより、自局が在圏するセルを識別することは困難である。このため、移動局が在圏するセルを識別可能とすべく、基地局から移動局へ向かう下り方向のチャネル（下りチャネル）において、セル毎に異なるスクランブリングコードを使用することが行われている。セル毎に異なるスクランブリングコードを使用することにより、所定のセルにおける通信において、他のセルから及ぼされる干渉をランダム化させて影響を軽減させる効果もある。
【０００３】
上述したようなセル毎に異なるスクランブリングコードが使用されたセルラ移動通信システムでは、移動局は、通信を行うにあたって、最適なセルに同期を合わせ、且つ、そのセルに使用されているスクランブリングコードを同定する。このような処理はセルサーチと称される。移動局は、このセルサーチにより、自局が属するセルを選択することになる。
【０００４】
従来のセルラ移動通信システムは、一般に各基地局の送信電力が同一であり、且つ、所定のセルの周辺に多数のセルが隣接するセル構成を有している。このため、移動局は、全ての基地局が管理するセルが同じ環境（例えば、セルを管理する基地局の送信電力が同一）であることを前提に、セルサーチを行っていた。具体的には、移動局は、自局周辺の各基地局からの共通パイロットチャネル信号の受信電力を測定し、最大の受信電力となった共通パイロットチャネル信号の送信元の基地局が管理するセルを最適なセルとし、そのセルに同期を合わせ、且つ、そのセルに使用されているスクランブリングコードを同定する。
【０００５】
一方、近年、無線ＬＡＮ（Local Area Network）（例えば非特許文献１参照）に代表されるように、オフィスや住宅等の閉空間、あるいは、イベント会場や駅等の多数の者が集中する場所等、いわゆるホットスポットにおける移動通信サービスの重要性が高まっている。このような背景から、携帯電話に代表されるセルラ移動通信システムにおいても、従来のように広い連続的なサービスエリアを構成するだけでなく、ホットスポットにおいてもサービスエリアを構成し、利用者の要望に沿ったサービスを提供する必要が生じることが予想される。その場合、移動通信システムのサービスエリアには、従来のセルラ移動通信システムにおけるセル（セルラセル）と、ホットスポットをカバーするセル（ホットスポットセル）とが混在することになる。
【０００６】
これらセルラセルとホットスポットセルとは、環境が異なる。例えば、セルラセルは、１つのセルのカバーエリアが広い、セルを管理する基地局の送信電力が大きい、セルにおける通信に干渉を及ぼす隣接セルが多い、基地局のアンテナ高が高い等の特徴を有する。一方、ホットスポットセルは、１つのセルのカバーエリアが狭い、セルを管理する基地局の送信電力が小さい、セルにおける通信に干渉を及ぼす隣接セルが少ない、基地局のアンテナ高が低い等の特徴を有する。
【先行技術文献】
【非特許文献】
【０００７】
【非特許文献１】［online］、［平成１５年４月２５日検索］、インターネット＜ＵＲＬ：http://www.allied-telesis.co.jp/products/product/musen/refer/index.html＞
【発明の概要】
【発明が解決しようとする課題】
【０００８】
しかしながら、サービスエリアにセルラセルとホットスポットセルとが混在する移動通信システムでは、最大の受信電力となった共通パイロットチャネル信号の送信元の基地局が管理するセルが移動局にとって最適なセルであるとは限らない。
【０００９】
例えば、移動局の近傍にホットスポットセルを管理する基地局（以下、適宜「ホットスポット基地局」と称する）が存在し、遠方にセルラセルを管理する基地局（以下、適宜「セルラ基地局」と称する）が存在する場合を考える。この場合、ホットスポット基地局の送信電力は、セルラ基地局の送信電力よりも小さいため、移動局において、セルラ基地局からの共通パイロットチャネル信号の受信電力の方がホットスポット基地局からの共通パイロット信号の受信電力よりも大きくなる場合がある。その結果、移動局は、セルラ基地局が管理するセルラセルを最適なセルとして選択する場合がある。しかし、ホットスポット基地局は、セルラ基地局よりも移動局に近い位置に存在するため、移動局との通信における伝搬損失は小さい。このため、実際には、ホットスポット基地局が管理するホットスポットセルが最適なセルである。即ち、従来のセルラ移動通信システムにおけるセルサーチの手法を、そのままセルラセルとホットスポットセルとが混在する移動通信システムに適用すると、移動局が最適なセルを選択することができない場合がある。
【００１０】
本発明は、上記問題点を解決するものであり、環境の異なるセルが混在する場合においても、移動局が属するセルを適切に選択することが可能な移動通信システム、移動局及び基地局を提供することを課題とする。
【課題を解決するための手段】
【００１１】
上記の課題を解決するため、本移動局は、
セルラセルを管理する基地局と、該セルラシステムよりカバーするエリアが狭く、送信電力が小さいホットスポットセルを管理する基地局とを含む複数の基地局により送信された信号の受信電力を測定する受信電力測定手段と、
該受信電力測定手段により測定された受信電力に基づいて、該受信電力が最大の第１の基地局を選択する基地局選択手段と、
該基地局選択手段により選択された第１の基地局により管理されるセルの環境を検出する環境検出手段と、
該環境検出手段により検出されたセルの環境に基づいて、移動局が属するセルを選択するセル選択手段と
を備え、
前記環境検出手段により検出されたセルの環境がホットスポットセルである場合、前記セル選択手段は、前記移動局が属するセルとして、該ホットスポットセルを選択し、
前記環境検出手段により検出されたセルの環境がセルラセルである場合、前記基地局選択手段は、該セルラセルを管理する第１の基地局以外の基地局から受信電力が最大の第２の基地局を選択し、該第２の基地局の受信電力が所定値未満である場合に、前記セル選択手段は、前記第１の基地局により管理されるセルラセルを前記移動局が属するセルとして選択する。
【００１２】
本通信制御装置は、
基地局により管理されるセルの環境を表す情報を、該セル内へ通知する環境通知手段
を備え、
前記セルに在圏する移動局は、
セルラセルを管理する基地局と、該セルラシステムよりカバーするエリアが狭く、送信電力が小さいホットスポットセルを管理する基地局とを含む複数の基地局により送信された信号の受信電力を測定し、該受信電力が最大の第１の基地局を選択し、該第１の基地局により管理されるセルの環境を検出し、該セルの環境がホットスポットセルである場合に、前記移動局が属するセルとして、該ホットスポットセルを選択し、該セルの環境がセルラセルである場合に、該セルラセルを管理する第１の基地局以外の基地局から受信電力が最大の第２の基地局を選択し、該第２の基地局の受信電力が所定値未満である場合に、前記第１の基地局により管理されるセルラセルを前記移動局が属するセルとして選択する。
【００１３】
本通信制御方法は、
通信制御装置と、移動局と、該移動局の通信相手となり得る複数の基地局とを有する移動通信システムにおける通信制御方法において、
前記通信制御装置は、
前記基地局により管理されるセル内へ、前記基地局により管理されるセルの環境を表す情報を通知するステップ、
を有し、
前記移動局は、
セルラセルを管理する基地局と、該セルラシステムよりカバーするエリアが狭く、送信電力が小さいホットスポットセルを管理する基地局とを含む複数の基地局により送信された信号の受信電力を測定する受信電力測定ステップと、
該受信電力測定ステップにより測定された受信電力に基づいて、該受信電力が最大の第１の基地局を選択する基地局選択ステップと、
該基地局選択ステップにより選択された第１の基地局により管理されるセルの環境を検出する環境検出ステップと、
該環境検出ステップにより検出されたセルの環境に基づいて、前記移動局が属するセルを選択するセル選択ステップと
を有し、
前記環境検出ステップにより検出されたセルの環境がホットスポットセルである場合、前記セル選択ステップでは、前記移動局が属するセルとして、該ホットスポットセルを選択し、
前記環境検出ステップにより検出されたセルの環境がセルラセルである場合、前記基地局選択ステップでは、該セルラセルを管理する第１の基地局以外の基地局から受信電力が最大の第２の基地局を選択し、該第２の基地局の受信電力が所定値未満である場合に、前記セル選択ステップでは、前記第１の基地局により管理されるセルラセルを前記移動局が属するセルとして選択する。
【００１４】
本発明によれば、移動局は、基地局が管理するセルの環境を検出し、その検出したセルの環境に基づいて、移動局が属するセルを選択している。このため、移動局は、環境の異なるセルが混在する場合においても、その環境を考慮して、自局が属するセルを適切に選択することが可能となる。
【発明の効果】
【００１５】
上述の如く、本願発明によれば、環境の異なるセルが混在する場合においても、移動局が属するセルを適切に選択することが可能となる。
【図面の簡単な説明】
【００１６】
【図１】移動通信システムの構成例を示す図である。
【図２】基地局の構成例を示す図である。
【図３】スクランブリングコードテーブルの一例を示す図である。
【図４】移動局の構成例を示す図である。
【図５】移動局における受信電力を示す図である。
【図６】移動局のセル選択動作を示す第１のフローチャートである。
【図７】移動局のセル選択動作を示す第２のフローチャートである。
【図８】移動局のセル選択動作を示す第３のフローチャートである。
【発明を実施するための形態】
【００１７】
以下、本発明の実施の形態を図面に基づいて説明する。
【００１８】
図１は、本発明の実施の形態に係る移動通信システムの構成例を示す図である。同図に移動通信システムは、セルラ移動通信サービスとホットスポットにおける移動通信サービスとの双方を提供することが可能である。この移動通信システムは、セルラ移動通信サービスを提供するための通信制御装置としてのセルラ基地局１００−１、１００−２及び１００−３（以下、これら基地局１００−１、１００−２及び１００−３をまとめて適宜「セルラ基地局１００」と称する）と、ホットスポットにおける移動通信サービスを提供するための通信制御装置としてのホットスポット基地局２００−１、２００−２、２００−３及び２００−４（以下、これらホットスポット基地局２００−１、２００−２、２００−３及び２００−４を適宜「ホットスポット基地局２００」と称する）と、移動局３００とにより構成される。
【００１９】
これらのうち、セルラ基地局１００−１、１００−２及び１００−３は、それぞれセルラセル１５０−１、１５０−２及び１５０−３（以下、これらセルラセル１５０−１、１５０−２及び１５０−３を適宜「セルラセル１５０」と称する）を管理する。セルラ移動通信サービスでは、これらセルラセル１５０により、広く連続したサービスエリアが構成される。また、ホットスポット基地局２００−１、２００−２、２００−３及び２００−４は、それぞれホットスポットセル２５０−１、２５０−２、２５０−３及び２５０−４（以下、これらホットスポットセル２５０−１、２５０−２、２５０−３及び２５０−４を適宜「ホットスポットセル２５０」と称する）を管理する。ホットスポットにおける移動通信サービスでは、これらホットスポットセル２５０により、点在するサービスエリアが構成される。
【００２０】
図２は、セルラ基地局１００及びホットスポット基地局２００の構成例を示す図である。同図に示すように、セルラ基地局１００及びホットスポット基地局２００は、アンテナ１０１、送受信部１０２、環境通知部１０４及びスクランブリングコードテーブル１０６を備える。
【００２１】
環境通知部１０４は、報知チャネル信号に自局が管理するセルの環境としてのセルタイプ、具体的には、自局が管理するセルがセルラセルであるか、ホットスポットセルであるかを示す情報を含めて送受信部１０２へ出力する処理を行う。
【００２２】
あるいは、環境通知部１０４は、スクランブリングコードテーブル１０６に基づいて、送信時に使用するスクランブリングコードにより、送信対象の信号を拡散して送受信部１０２へ出力する処理を行う。
【００２３】
図３はスクランブリングコードテーブル１０６の一例を示す図である。同図に示すスクランブリングコードテーブル１０６には、Ｎ×Ｍ個のスクランブリングコードが示されている。
【００２４】
これらＮ×Ｍ個のスクランブリングコードは、高速セルサーチを可能とすべく、Ｍ個ずつのスクランブリングコードグループ１乃至Ｎに割り当てられている。スクランブリングコードグループ１乃至Ｎ−１に割り当てられているスクランブリングコード１乃至（Ｎ−１）Ｍは、セルラ基地局１００が信号（例えば、セルラ基地局１００が、自局が管理するセルがセルラセル１５０であることを移動局３００へ通知する際に用いる情報であり、０及び１の２値の制御情報のうちの０）の送信に使用するものである。一方、スクランブリングコードグループＮに割り当てられているスクランブリングコード（Ｎ−１）Ｍ＋１乃至ＮＭは、ホットスポット基地局２００が信号（例えば、ホットスポット基地局２００が、自局が管理するセルがホットスポットセル２５０であることを移動局３００へ通知する際に用いる情報であり、０及び１の２値の制御情報のうちの１）の送信に使用するものである。
【００２５】
セルラ移動通信サービスでは、各セルラ基地局１００が管理するセルラセル１５０により、広く連続したサービスエリアが構成されるため、１つのセルラセル１５０に隣接する他のセルラセル１５０が多数存在する。一方、ホットスポットにおける移動通信サービスでは、各ホットスポット基地局２００が管理するホットスポットセル２５０により、点在するサービスエリアが構成されるため、１つのホットスポットセル２５０に隣接する他のホットスポットセル２５０は、少数である。また、隣接するセル間では、干渉を避けるために異なるスクランブリングコードを対応させる必要がある。従って、図３に示すように、セルラ基地局１００によって使用されるスクランブリングコードの方がホットスポット基地局２００によって使用されるスクランブリングコードよりも多く設定されるようにすることで、セルラ基地局１００が使用するスクランブリングコードが足りなくなったり、ホットスポット基地局２００に対して、スクランブリングコードが必要以上に割り当てられることを防止することができる。
【００２６】
セルラ基地局１００内の環境通知部１０４は、スクランブリングコードグループ１乃至Ｎ−１に割り当てられているスクランブリングコード１乃至（Ｎ−１）Ｍを使用する。具体的には、セルラ基地局１００内の環境通知部１０４は、スクランブリングコードグループ１乃至Ｎ−１に割り当てられているスクランブリングコード１乃至（Ｎ−１）Ｍの何れかを使用して、送信対象の信号を拡散する。
【００２７】
一方、ホットスポット基地局２００内の環境通知部１０４は、スクランブリングコードグループＮに割り当てられているスクランブリングコード（Ｎ−１）Ｍ＋１乃至ＮＭを使用する。具体的には、ホットスポット基地局２００内の環境通知部１０４は、スクランブリングコードグループＮに割り当てられているスクランブリングコード（Ｎ−１）Ｍ＋１乃至ＮＭの何れかを使用して、送信対象の信号を拡散する。
【００２８】
送受信部１０２は、環境通知部１０４からの信号を、アンテナ１０１を介して自局が管理するセルラセル１５０あるいはホットスポットセル２５０内へ送信する。また、送受信部１０２は、自局が管理するセルラセル１５０あるいはホットスポットセル２５０内の移動局３００からの信号を、アンテナ１０１を介して受信する。
【００２９】
図４は、移動局３００の構成例を示す図である。同図に示すように、移動局３００は、アンテナ３０１、送受信部３０２、受信電力測定部３０４、環境検出部３０６、スクランブリングコードテーブル３０８及びセル選択部３１０を備える。
【００３０】
送受信部３０２は、セルラ基地局１００やホットスポット基地局２００からの信号を、アンテナ３０１を介して受信する毎に、当該信号を環境検出部３０６へ出力する。また、送受信部３０２は、送信対象の信号を、アンテナ３０１を介して送信する。受信電力測定部３０４は、移動局３００の電源投入時や待ち受け中等においてセルサーチ動作が起動される毎に、送受信部３０２によって受信された信号の受信電力を測定し、環境検出部３０６へ通知する。
【００３１】
環境検出部３０６は、受信電力測定部３０４から通知される受信電力に基づいて、送受信部３０２によって受信された信号のうち、受信電力が最大の信号を識別する。
【００３２】
更に、環境検出部３０６は、識別した受信電力が最大の信号に基づいて、当該信号の送信元の基地局が管理するセルのセルタイプを検出する。
【００３３】
具体的には、基地局からの信号が報知チャネル信号であり、当該報知チャネル信号に、送信元の基地局が管理するセルのセルタイプが含まれる場合には、以下のような処理が行われる。即ち、環境検出部３０６は、識別した受信電力が最大の報知チャネル信号に含まれるセルタイプを抽出し、その抽出したセルタイプに基づいて、送信元の基地局が管理するセルのセルタイプがセルラセルか、ホットスポットセルであるかを判定する。
【００３４】
また、基地局からの信号が、当該基地局が使用するスクランブリングコードによって拡散されている場合には、環境検出部３０６は、スロット境界検出機能３２１、フレーム境界検出機能３２２、スクランブリングコード群検出機能３２３及びスクランブリングコード特定機能３２４により以下の処理を行う。なお、基地局からの信号には、スロット毎に、ＰＳＣＨ（Primary Synchronisation Channel）とＳＳＣＨ（Secondary Synchronisation Channel）と称される２つの同期チャネルが含まれている。ＰＳＣＨは、全セル全スロット共通のスクランブリングコードＰＳＣ（Primary Synchronisation Code）が用いられており、基地局によりスロット周期で送信される。一方、ＳＳＣＨは、スロット毎に異なるスクランブリングコードＳＳＣ（Secondary Synchronisation Code）が用いられており、１フレーム分でＳＳＣの系列が構成され、基地局によりフレーム周期で繰り返し送信される。このＳＳＣ系列は、セル毎に異なるものであり、且つ、基地局が使用するスクランブリングコードが属するスクランブリングコードグループに対応付けられている。
【００３５】
まず、環境検出部３０６のスロット境界検出機能３２１は、識別した受信電力が最大の信号について、ＰＳＣに対応したマッチドフィルタに入力し、雑音や干渉の影響を軽減するために複数のスロットにわたって平均化を行う。更に、スロット境界検出機能３２１は、平均相関値が最も大きいタイミングを選択することにより、スロット境界を検出する。ここで、直交周波数符号分割多重（ＯＦＣＤＭ：Orthogonal Frequency and Code Division Multiplexing）方式が採用される移動通信システムでは、スロット境界はＯＦＣＤＭシンボルタイミングとなる。
【００３６】
次に、環境検出部３０６のフレーム境界検出機能３２２及びスクランブリングコード群検出機能３２３は、フレーム境界（フレームタイミング）を検出するとともに、スクランブリングコードグループを検出する。具体的には、フレーム境界検出機能３２２及びスクランブリングコード群検出機能３２３は、検出されたスロット境界に基づいて、ＳＳＣＨの送信タイミングを計算する。更に、フレーム境界検出機能３２２及びスクランブリングコード群検出機能３２３は、その送信タイミングにおいて、受信信号をＳＳＣにより逆拡散する。そして、フレーム境界検出機能３２２及びスクランブリングコード群検出機能３２３は、考えられる全てのフレームタイミング及びＳＳＣ系列に合わせて相関値を平均化し、平均相関値が最大となるフレームタイミング及びＳＳＣ系列を検出する。
【００３７】
更に、環境検出部３０６のスクランブリングコード特定機能３２４は、スクランブリングコードの特定を行う。具体的には、スクランブリングコード特定機能３２４は、セル毎に異なるスクランブリングコードによって拡散されている共通パイロットチャネルを受信し、スクランブリングコードテーブル３０８に基づいて、検出されたスクランブリングコードグループの中の何れのスクランブリングコードが用いられているのかを検出する。なお、スクランブリングコードテーブル３０８は、基地局内のスクランブリングコードテーブル１０６と同一であり、例えば、図３に示されるものである。
【００３８】
次に、環境検出部３０６は、スクランブリングコードテーブル３０８を参照しつつ、その特定したスクランブリングコードがセルラ基地局１００によって使用されるものであるか、ホットスポット基地局２００によって使用されるものであるかを判定する。例えば、環境検出部３０６は、特定したスクランブリングコードが、図３のスクランブリングコードグループ１乃至Ｎ−１の何れかに割り当てられたものである場合には、その特定したスクランブリングコードがセルラ基地局１００によって使用されるものであると判定し、図３のスクランブリングコードグループＮに割り当てられたものである場合には、その特定したスクランブリングコードがホットスポット基地局２００によって使用されるものであると判定する。
【００３９】
更に、環境検出部３０６は、特定したスクランブリングコードがセルラ基地局１００によって使用されるものである場合には、受信電力が最大の信号の送信元の基地局がセルラ基地局１００であり、当該セルラ基地局１００が管理するセルのセルタイプがセルラセルであることを検出する。一方、環境検出部３０６は、特定したスクランブリングコードがホットスポット基地局２００によって使用されるものである場合には、受信電力が最大の信号の送信元の基地局がホットスポット基地局２００であり、当該ホットスポット基地局２００が管理するセルのセルタイプがホットスポットセルであることを検出する。
【００４０】
受信電力が最大の信号の送信元の基地局が管理するセルのセルタイプがホットスポットセルである場合には、セル選択部３１０は、その受信電力が最大の信号の送信元の基地局が管理するホットスポットセル２５０を自局が属するセルとして選択する。
【００４１】
一方、受信電力が最大の信号の送信元の基地局が管理するセルのセルタイプがホットスポットセルでない場合、換言すれば、セルラセルである場合には、環境検出部３０６は、そのセルラセル１５０を選択候補から除外する。更に、環境検出部３０６は、選択候補から除外されたセルラセル１５０を管理するセルラ基地局１００以外の他の基地局からの信号のうち、受信電力が最大の信号を識別する。そして、その受信電力が所定値未満である場合には、セル選択部３１０は、環境検出部３０６によって除外されたセルラセル１５０のうち、受信電力が最大の信号を送信するセルラ基地局１００が管理するセルラセル１５０を自局が属するセルとして選択する。一方、受信電力が所定値以上である場合には、上述した処理と同様、環境検出部３０６は、識別した受信電力が最大の信号に基づいて、当該信号の送信元の基地局が管理するセルのセルタイプを検出する。更に、セル選択部３１０は、その検出されたセルタイプがホットスポットセルである場合には、当該信号の送信元の基地局が管理するホットスポットセル２５０を自局が属するセルとして選択する。
【００４２】
このような処理では、移動局３００における受信電力が所定値以上である信号の送信元基地局にホットスポット基地局２００が含まれる場合、移動局３００は、セルラ基地局１００からの信号の方がホットスポット基地局２００からの信号よりも受信電力が大きい場合であっても、ホットスポット基地局２００が管理するホットスポットセル２５０を優先的に選択する。
【００４３】
移動局３００がこのようなセル選択を行う理由を以下に説明する。一般に、ホットスポット基地局２００の送信電力の方がセルラ基地局１００の送信電力よりも小さい。また、図５に示すように、移動局３００とホットスポット基地局２００との距離の方が移動局３００とセルラ基地局１００との距離よりも短い場合には、伝搬損失の観点からは、移動局３００は、自局の近くに存在するホットスポット基地局２００が管理するホットスポットセル２５０を選択することが好ましい。このため、移動局３００は、上述のように、セルラ基地局１００からの信号の方がホットスポット基地局２００からの信号よりも受信電力が大きい場合であっても、ホットスポット基地局２００が管理するホットスポットセル２５０を優先的に選択する。
【００４４】
なお、移動局３００が図５に示すような位置に存在する場合、環境検出部３０６は、受信電力が最大の信号の送信元の基地局が管理するセルのセルタイプがセルラセルであるため、ホットスポットセル２５０を選択するために、引き続きセルサーチを繰り返すことになるが、この際、選択候補のセルを管理する基地局に対応するスクランブリングコードを、ホットスポットセルを管理するホットスポット基地局２００に対応するスクランブリングコードに限定することができる。これにより、その後、環境検出部３０６がスクランブリングコードテーブル３０８に基づいてスクランブリングコードを特定する際に、スクランブリングコードテーブル３０８における検索の対象をホットスポット基地局２００によって使用されるスクランブリングコードに限定することができ、処理量及び処理時間の削減を図ることが可能になるとともに、スクランブリングコードの検出確率を改善することが可能になる。
【００４５】
次に、フローチャートを参照しつつ、移動局３００の動作を説明する。
【００４６】
図６は、移動局３００のセル選択動作を示す第１のフローチャートである。同図は、セルラ基地局１００又はホットスポット基地局２００が、自局が管理するセルのセルタイプを含んだ報知チャネル信号を送信する場合における、移動局３００のセル選択動作を示す。
【００４７】
移動局３００は、自身の電源投入時や待ち受け中等においてセルサーチ動作が起動される毎に、セルラ基地局１００やホットスポット基地局２００からの報知チャネル信号の受信電力を測定する。更に、移動局３００は、受信した報知チャネル信号のうち、受信電力が最大の報知チャネル信号を識別する（ステップ１０１）。
【００４８】
次に、移動局３００は、識別した受信電力が最大の報知チャネル信号に含まれるセルタイプを抽出し、その抽出したセルタイプに基づいて、送信元の基地局が管理するセルのセルタイプを検出する（ステップ１０２）。更に、移動局３００は、検出したセルタイプがホットスポットセルであるか否かを判定する（ステップ１０３）。
【００４９】
セルタイプがホットスポットセルである場合、移動局３００は、そのセルタイプに対応するセル、換言すれば、そのセルタイプを含んだ報知チャネル信号の送信元の基地局であるホットスポット基地局２００が管理するホットスポットセル２５０を、自局が属するセルとして選択する（ステップ１０４）。
【００５０】
一方、ステップ１０３において、セルタイプがホットスポットセルでないと判定された場合、即ち、セルタイプがセルラセルであると判定された場合、移動局３００は、そのセルラセル１５０を選択候補から除外する（ステップ１０５）。更に、移動局３００は、除外したセルラセル１５０を管理するセルラ基地局１００以外の他のセルラ基地局１００やホットスポット基地局２００からの報知チャネル信号のうち、受信電力が最大の報知チャネル信号を識別する（ステップ１０６）。
【００５１】
次に、移動局３００は、ステップ１０６において識別した受信電力が最大の報知チャネル信号について、その受信電力が所定値未満であるか否かを判定する（ステップ１０７）。受信電力が所定値以上である場合には、移動局３００は、その識別した受信電力が最大の報知チャネル信号に含まれるセルタイプに基づいて、送信元の基地局が管理するセルのセルタイプを検出する動作（ステップ１０２）以降を繰り返す。
【００５２】
一方、受信電力が所定値未満である場合には、移動局３００は、ステップ１０５において除外したセルラセル１５０の中から、受信電力が最大の報知チャネル信号の送信元のセルラ基地局１００が管理するセルラセル１５０を、自局が属するセルとして選択する（ステップ１０８）。
【００５３】
図７は、移動局３００のセル選択動作を示す第２のフローチャートである。同図は、セルラ基地局１００又はホットスポット基地局２００が、自局が管理するセルのセルタイプに対応するスクランブリングコードを使用して信号を送信する場合における、移動局３００のセル選択動作を示す。
【００５４】
移動局３００は、自身の電源投入時や待ち受け中等においてセルサーチ動作が起動される毎に、セルラ基地局１００やホットスポット基地局２００からの信号の受信電力を測定する。更に、移動局３００は、受信した信号のうち、受信電力が最大の信号を識別する（ステップ２０１）。
【００５５】
次に、移動局３００は、識別した受信電力が最大の信号の送信元の基地局によって管理されているセルのセルタイプを検出する（ステップ２０２）。次に、移動局３００は、検出したセルタイプがホットスポットセルであるか否かを判定する（ステップ２０３）。
【００５６】
セルタイプがホットスポットセルである場合、移動局３００は、そのセルタイプに対応するセル、換言すれば、そのセルタイプを含んだ信号の送信元の基地局であるホットスポット基地局２００が管理するホットスポットセル２５０を、自局が属するセルとして選択する（ステップ２０４）。
【００５７】
一方、ステップ２０３において、セルタイプがホットスポットセルでないと判定された場合、即ち、セルタイプがセルラセルであると判定された場合、移動局３００は、そのセルラセル１５０を選択候補から除外する（ステップ２０５）。更に、移動局３００は、除外したセルラセル１５０を管理するセルラ基地局１００以外の他のセルラ基地局１００やホットスポット基地局２００からの信号のうち、受信電力が最大の信号を識別する（ステップ２０６）。
【００５８】
次に、移動局３００は、ステップ２０６において識別した受信電力が最大の信号について、その受信電力が所定値未満であるか否かを判定する（ステップ２０７）。受信電力が所定値以上である場合には、移動局３００は、その識別した受信電力が最大の信号に使用されたスクランブリングコードに基づいて、送信元の基地局が管理するセルのセルタイプを検出する動作（ステップ２０２）以降を繰り返す。
【００５９】
一方、受信電力が所定値未満である場合には、移動局３００は、ステップ２０５において除外したセルラセル１５０の中から、受信電力が最大の信号の送信元のセルラ基地局１００が管理するセルラセル１５０を、自局が属するセルとして選択する（ステップ２０８）。
【００６０】
図８は、移動局３００のセル選択動作を示す第３のフローチャートである。同図は、ＯＦＣＤＭ方式が採用される移動通信システムにて、セルラ基地局１００又はホットスポット基地局２００が、自局が管理するセルのセルタイプに対応するスクランブリングコードを使用して信号を送信する場合における、移動局３００のセル選択動作を示す。
【００６１】
移動局３００は、ＯＦＣＤＭシンボルタイミングを検出する（ステップ３０１）。次に、移動局３００は、検出したＯＦＣＤＭシンボルタイミングに基づいて、フレームタイミングの検出と、スクランブリングコードグループの検出とを行う（ステップ３０２）。次に、移動局３００は、検出したフレームタイミング及びスクランブリングコードグループに基づいて、スクランブリングコードの選択を行う（ステップ３０３）。更に、移動局３００は、選択したスクランブリングコードに対応するセルタイプを検出する（ステップ３０４）。具体的には、移動局３００は、スクランブリングコードテーブルを参照し、選択したスクランブリングコードがセルラ基地局１００によって使用されるものであるか、ホットスポット基地局２００によって使用されるものであるかを識別し、セルラ基地局１００によって使用されるものである場合には、セルタイプがセルラセルであると検出し、ホットスポット基地局２００によって使用されるものである場合には、セルタイプがホットスポットセルであると検出する。次に、移動局３００は、検出したセルタイプがホットスポットセルであるか否かを判定する（ステップ３０５）。
【００６２】
セルタイプがホットスポットセルである場合、移動局３００は、そのセルタイプに対応するセル、換言すれば、そのセルタイプを含んだ信号の送信元の基地局であるホットスポット基地局２００が管理するホットスポットセル２５０を、自局が属するセルとして選択する（ステップ３０６）。
【００６３】
一方、ステップ３０５において、セルタイプがホットスポットセルでないと判定された場合、即ち、セルタイプがセルラセルであると判定された場合、移動局３００は、次のＯＦＣＤＭシンボルタイミングを検出する（ステップ３０７）。更に、移動局３００は、セルラセルのセルタイプに対応するスクランブリングコード（例えば、図３のスクランブリングコードテーブルにおけるスクランブリングコード１乃至（Ｎ−１）Ｍ）を検出対象から除外する（ステップ３０８）。その後、移動局３００は、フレームタイミング及びスクランブリングコードグループの検出（ステップ３０２）以降の動作を繰り返す。
【００６４】
このように本実施形態の移動通信システムでは、移動局３００は、基地局からの報知チャネルの信号に、当該基地局が管理するセルの環境が含まれている場合に、その報知チャネルの信号により、基地局が管理するセルのセルタイプを検出する。あるいは、移動局３００は、基地局が管理するセルのセルタイプと、当該基地局が信号の送信に使用するスクランブリングコードとが対応付けられている場合に、その基地局からの信号の送信に使用するスクランブリングコードを特定することにより、基地局が管理するセルのセルタイプを検出する。そして、移動局３００は、その検出したセルタイプに基づいて、伝搬損失が小さいホットスポット基地局２００が管理するホットスポットセル２５０を優先的に選択する。このため、移動局３００は、セルラセル１５０とホットスポットセル２５０が混在する場合においても、そのセルタイプを考慮して、自局が属するセルを適切に選択することが可能となる。
【００６５】
特に、基地局が管理するセルのセルタイプと、当該基地局が信号の送信に使用するスクランブリングコードとが対応付けられている場合には、移動局３００は、物理レイヤにおいてセルタイプを検出することができるため、セルタイプを迅速に識別することが可能となる。
【００６６】
なお、上述した実施形態では、セルタイプとして基地局が管理するセルがセルラセルであるか、ホットスポットセルであるかを示す情報を用いる場合について説明したが、基地局の送信電力、基地局が管理するセルの大きさ（セル半径）等、基地局が管理するセルの環境を示す情報をセルタイプとして用いる場合においても、同様に本発明を適用することができる。
【符号の説明】
【００６７】
１００−１、１００−２、１００−３  セルラ基地局
１０１、３０１  アンテナ
１０２、３０２  送受信部
１０４  環境通知部
１０６、３０８  スクランブリングコードテーブル
１５０−１、１５０−２、１５０−３  セルラセル
２００−１、２００−２、２００−３、２００−４  ホットスポット基地局
２５０−１、２５０−２、２５０−３、２５０−４  ホットスポットセル
３００  移動局
３０４  受信電力測定部
３０６  環境検出部
３１０  セル選択部
【図１】
0005006361.tif 000002
【図２】
0005006361.tif 000003
【図３】
0005006361.tif 000004
【図４】
0005006361.tif 000005
【図５】
0005006361.tif 000006
【図６】
0005006361.tif 000007
【図７】
0005006361.tif 000008
【図８】
0005006361.tif 000009